(57)【要約】      （修正有）【課題】ユーザーが筆記を行うときの負担を減らすことができる筆記具を提供する。【解決手段】筆記具１は、本体部１１と、本体部１１の内部に配置されたペン先送り出し部１２と、本体部１１に内蔵されるセンサー１３とを備え、センサー１３は、ユーザーが本体部１１を把持したことを検知した場合に、ペン先送り出し部１２に基づきペン先１４を本体部１１から突出させる。【選択図】図１
2020199703.tif 000002
【特許請求の範囲】
【請求項１】
本体部と、前記本体部の内部に配置されたペン先送り出し部と、前記本体部に内蔵されるセンサーとを備え、
前記センサーは、ユーザーが前記本体部を把持したことを検知した場合に、前記ペン先送り出し部に基づきペン先を前記本体部から突出させる、
筆記具。
【請求項２】
前記センサーはユーザーの体温を検知することを特徴とする、請求項１記載の筆記具。
【請求項３】
前記センサーはユーザーの発声を認識することを特徴とする、請求項１記載の筆記具。
【請求項４】
前記センサーはユーザーが前記持ち手部を把持したときの荷重を検知することを特徴とする、請求項１記載の筆記具。
【発明の詳細な説明】
【技術分野】
【０００１】
本発明は、筆記具に関する。
【背景技術】
【０００２】
近年、自筆で手紙やレポートなどを作成する方が、相手側に自分の思いや意思が伝わりやすいため、手紙やレポートなどの文章を書くツールとして筆記具が見直されている（例えば、特許文献1参照。）。この筆記具は、筆記するときに、ペン先を送り出すためのスイッチを押すことにより、ペン先送り出し機構が作動しペン先を突出させるように構成されている。
【先行技術文献】
【特許文献】
【０００３】
【特許文献１】特開２００６−０４４２１８号公報
【発明の概要】
【発明が解決しようとする課題】
【０００４】
しかし、特許文献1に記載されている筆記具では、手紙やレポートなどを書こうとするたびに、筆記具を使用する人（以下、「ユーザー」という）がペン先を送り出すためのスイッチを押す動作が必要になり、非常に面倒である。
【０００５】
本発明は、上記の課題を解決するために発明されたものであり、その目的は、ユーザーが筆記するときの負担を減らすことができる筆記具を提供することである。
【課題を解決するための手段】
【０００６】
本発明の一実施形態における筆記具は、本体部と、本体部の内部に配置されたペン先送り出し部と、本体部に内蔵されるセンサーとを備え、センサーは、ユーザーが本体部を把持したことを検知した場合に、ペン先送り出し部に基づきペン先を本体部から突出させる、ことを特徴とする。
【０００７】
また、本発明の一実施形態における筆記具が備えるセンサーはユーザーの体温を検知するように構成してもよい。
【０００８】
また、本発明の一実施形態における筆記具が備えるセンサーはユーザーの発声を認識するように構成してもよい。
【０００９】
また、本発明の一実施形態における筆記具が備えるセンサーはユーザーが本体部を把持したときの荷重を検知するように構成してもよい。
【発明の効果】
【００１０】
本発明によれば、ユーザーが筆記するときの負担を減らすことができる筆記具を提供することができる。
【図面の簡単な説明】
【００１１】
【図１】本発明の一実施形態に係る筆記具の構造を示す断面図である。
【図２】本発明の一実施形態に係る筆記具の動作例を示すフローチャートである。
【発明を実施するための形態】
【００１２】
本発明に係る筆記具の実施形態を、図面を参照しながら以下に説明する。なお、説明において、共通する部分は同じ符号を付し、重複する説明は適宜省略する。
【００１３】
先ず、図１を用いて、筆記具の構造を説明する。図１は、本発明の一実施形態に係る筆記具の構造を示す断面図である。
【００１４】
本実施形態の筆記具は、一例として、シャープペンシルを例示して説明する。図１に示すように、シャープペンシル１の本体部１１は中空形状に形成されている。本体部１１にはペン先送り出し部１２およびセンサー１３が内蔵されている。
【００１５】
ペン先送り出し部１２は、使用していない状態では、本体部１１に格納されている芯１４（ペン先）を本体部１１から突出させて筆記が行える状態にする機構を有する。図１では、芯１４が本体部１１から突出した状態を示している。ペン先送り出し部１２は、ユーザーが本体部１１をつかんだ（把持した）ことを確認すると、本体部１１から芯１４を突出させる。この確認は、センサー１３の検知により行う。ここで、センサー１３は、例えばユーザーの体温を検知する温度センサーが用いられる。
【００１６】
ペン先送り出し部１２は、芯１４を把持するチャック部１５を有し、温度センサー１３がユーザーの体温を検知すると、把持状態が解除され芯１４を本体部１１から突出させる方向に送り出すことができる。そして、芯１４のストロークが一定量に確保されると、再び、芯１４が把持される。この動作処理は、ペン先送り出し部１２が実行する。ここで、ペン先送り出し部１２は、温度センサー１３からの検知信号を受信すると、往復動する可動子である。芯１４を本体部１１から突出させる方向に送り出すことができればよい。例えば、ペン先送り出し部１２は、温度センサー１３からの検知信号の受信に基づき往復動する圧電アクチュエーターであってもよい。
【００１７】
次に、図２を用いて、シャープペンシル１の動作処理を説明する。図２は、本発明の一実施形態に係るシャープペンシル１の動作例を示すフローチャートである。
【００１８】
図２に示すように、先ず、センサー１３は、ユーザーが本体部１１（シャープペンシル１）をつかんだ（把持した）ことを検知（認識）したか否かを判断する（Ｓ１）。センサーは、例えば温度センサー１３であり、ユーザーがシャープペンシル１をつかんだことを、ユーザーの体温を検知することで判断する。センサー１３は、ユーザーがシャープペンシル１をつかんだことを検知すると（Ｓ１のＹＥＳ）、検知信号をペン先送り出し部１２に送信する。ペン先送り出し部１２は検知信号を受信すると、チャック部１５を解除し芯１３を一定量送り出す（Ｓ２）。そして、芯１４を一定量送り出した後、チャック部１５を閉じ、芯１４を把持状態とし固定する（Ｓ３）。
【００１９】
本実施形態に係るシャープペンシル１によれば、手紙やレポートなどを書こうとするたびに、ユーザーがペン先を送り出すためのスイッチを押す動作が不要となる。その結果、面倒くささが無くなり、ユーザーが筆記するときの負担を減らすことができる。
【００２０】
なお、本実施形態において、センサー１３は、温度センサーを例示して説明したがこれに限定されない。ユーザーが本体部１１（シャープペンシル１）を把持したことを検知することができればよく、例えば、ユーザーの発声を認識する音声認識センサーであってもよい。この場合、ユーザーが、例えば、「シャープペンシルを持ったよ。」、「今から手紙を書くよ。」、「芯を出して！」などと呼びかけると、その声を認識し、ペン先送り出し部１２が認識信号を受信した場合に、チャック部１５を解除してもよい。そして、芯１４を一定量送り出たし後、チャック部１５を閉じ、芯１４を把持状態とするように構成してもよい。
【００２１】
また、本実施形態において、センサー１３は、ユーザーが本体部１１（シャープペンシル１）を把持したときの荷重を検知する荷重センサーであってもよい。この場合、例えばユーザーが本体部１１をつかんだことによる荷重を検知し、ペン先送り出し部１２が検知信号を受信した場合に、チャック部１５を解除してもよい。そして、芯１４を一定量送り出たし後、チャック部１５を閉じ、芯１４を把持状態とするように構成してもよい。
【００２２】
なお、ユーザーによる把持状態が解除されたと認識した場合、例えば、本体部１３の温度に所定の変化があったことを温度センサー１３が検知した場合、すなわち、ペン先送り出し部１２が検知信号を受信した場合にチャック部１５が解除され、芯１４が本体部１１に格納されるように構成してもよい。また、ユーザーによる把持状態が解除されたと荷重センサーが認識した場合、例えば、本体部１３の荷重に所定の変化があったと認識した場合、すなわち、ペン先送り出し部１２が認識信号を受信した場合にチャック部１５が解除され、芯１４が本体部１１に格納されるように構成してもよい。
【００２３】
さらに、ユーザーによる把持状態が解除されたと音声認識センサーが認識した場合、例えば、「シャープペンシルを離したよ。」、「手紙を書き終えたよ。」、「芯を引っ込めて！」などと呼びかけた場合、その声を認識し、ペン先送り出し部１２が認識信号を受信した場合にチャック部１５が解除され、芯１４が本体部１１に格納されるように構成してもよい。
【００２４】
また、本実施形態において、筆記具１はシャープペンシルを例示して説明したがこれに限定されない。筆記具１は、例えばボールペンであってもよい。
【００２５】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００２６】
１    筆記具（シャープペンシル）
１１  本体部
１２  ペン先送り出し部
１３  センサー（温度センサー）
１４  ペン先（芯）
１５  チャック部
【図１】
2020199703.tif 000003
【図２】
2020199703.tif 000004